(57)【要約】【課題】服用者各々にとって嚥下補助剤の量が薬剤を嚥下するのに少な過ぎたり多過ぎたりすることなく薬剤を容易に嚥下することができる併用剤用容器、薬剤用容器及び補助剤用容器を提供すること。【解決手段】薬剤用容器２の接続部５と補助剤用容器３の接続部１１とは互いに固定接続可能に構成され、この固定接続によりこれら接続部５，１１の連通路５ａ，１１ａが互いに連通可能となるように構成されている。具体的には、薬剤用容器２の接続部５と補助剤用容器３の接続部１１とは筒状でこの断面が同形の楕円状で、かつ薬剤用容器２の接続部５の内径が補助剤用容器３の接続部１１の外径に同一になるように形成される。【選択図】図１
2011206152.tif 000002
【特許請求の範囲】
【請求項１】
薬剤用容器（２）と補助剤用容器（３）とから構成され、
前記薬剤用容器（２）には、薬剤を収容する収容室（４）と、この収容室（４）に連通する接続部（５）と、取り出し口部（６）とが設けられ、
前記収容室（４）と前記接続部（５）との間に解除自在な連通遮断部（８ａ）が設けられ、
前記補助剤用容器（３）には、嚥下補助剤を収容する収容室（１０）と、この収容室（１０）に連通する接続部（１１）とが設けられ、
前記収容室（１０）と前記接続部（１１）との間に解除自在な連通遮断部（８ｂ）が設けられ、
前記薬剤用容器（２）の接続部（５）と前記補助剤用容器（３）の接続部（１１）とは互いに固定接続可能に構成されていることを特徴とする併用剤用容器。
【請求項２】
前記薬剤用容器（２）の接続部（５）は筒状に形成され、この接続部（５）の内周に、前記薬剤用容器（２）の収容室（４）に連通する連通路（５ａ）が設けられ、
前記補助剤用容器（３）の接続部（１１）は前記薬剤用容器（２）の接続部（５）に挿入可能な筒状に形成され、この補助剤用容器（３）の接続部（１１）の内周に、前記補助剤用容器（３）の収容室（１０）に連通する連通路（１１ａ）が設けられ、
前記薬剤用容器（２）の接続部（５）に前記補助剤用容器（３）の接続部（１１）を挿入して固定接続したとき、これら薬剤用容器（２）の接続部（５）の連通路（５ａ）と補助剤用容器（３）の接続部（１１）の連通路（１１ａ）とが互いに連通可能に構成されていることを特徴とする請求項１に記載の併用剤用容器。
【請求項３】
前記補助剤容器（３）には前記収容室（１０）に連通する接続部（１４）がさらに設けられ、この接続部（１４）が別の補助剤用容器の接続部と固定接続可能に構成されていることを特徴とする請求項１又は請求項２に記載の併用剤用容器。
【請求項４】
前記薬剤用用器（２）の収容室（４）は複数の収容室から構成され、これら複数の収容室の隣り合う収容室間に連通路（１７）が設けられ、かつこの連通路（１７）に解除自在な連通遮断部（１８）が設けられていることを特徴とする請求項１〜３のいずれかに記載の併用剤用容器。
【請求項５】
前記薬剤用容器（２）の取出し口部（６）は筒状に形成され、この取り出し口部（６）の先端側の外周には環状の補強部材（９）が設けられていることを特徴とする請求項１〜４のいずれかに記載の併用剤用容器。
【請求項６】
請求項１〜５のいずれかに記載の併用剤用容器に用いられる薬剤用容器。
【請求項７】
請求項１〜５のいずれかに記載の併用剤用容器に用いられる補助剤用容器。
【請求項８】
薬剤を収容する収容室（４）と、この収容室（４）に連通して設けられた筒状の取出し口部（６）とが設けられ、
前記収容室（４）と前記取出し口部（６）との間に解除自在な連通遮断部（８ｂ）が設けられ、前記連通遮断部（８ｂ）が解除されることによりこの収容室（４）と前記取り出し口部（６）とが連通して前記薬剤を前記取り出し口部（６）から服用可能に構成されていることを特徴とする薬剤用容器。
【請求項９】
嚥下補助剤を収容する収容室（１０）と、この収容室（１０）に連通して設けられた筒状の取出し口部（１１’）とが設けられ、
前記収容室（１０）と前記取出し口部（１１’）との間に解除自在な連通遮断部（１３）が設けられ、前記連通遮断部（１３）が解除されることによりこの収容室（１０）と前記取り出し口部（１１’）とが連通して前記嚥下補助剤を前記取り出し口部（１１’）から服用可能に構成されていることを特徴とする補助剤用容器。
【発明の詳細な説明】
【技術分野】
【０００１】
本発明は、薬剤とこの薬剤を嚥下するための嚥下補助剤とを分離収容して服用時にこれら薬剤と補助剤とを併用可能な併用剤用容器、薬剤を収容する薬剤用容器及び嚥下補助剤を収容する補助剤用容器に関する。
【背景技術】
【０００２】
従来、薬品容器に互いに区画された収容室を設け、これら収容室に粉粒状剤とこの粉粒状剤を押し流して嚥下するためのゼリーとを分離収容し、服用時にこれら収容室を互いに連通可能に構成したものがある（特許文献１を参照）。この従来技術は、粉粒状剤の服用時にこの粉粒状剤の量に合わせてゼリーを調製する困難さを避けようと、このゼリーを予め調整して粉粒状剤と共に収容し、服用時にこの粉粒状剤と共にゼリーを容易に併用するようにしたものである。
【先行技術文献】
【特許文献】
【０００３】
【特許文献１】特開平１０−２３４８２０号公報
【発明の概要】
【発明が解決しようとする課題】
【０００４】
上記従来技術の薬品容器のゼリーはこの量が粉粒状剤の量に合わせて画一的に定められているので、服用者によって服用すべき粉粒状材の粒径や味の違い、服用者自身の体調及び嗜好から上記ゼリーの量が少な過ぎたり多過ぎたりして上記粉粒状剤全てを簡単に服用できないおそれがある。
【０００５】
本発明は、服用者各々にとって嚥下補助剤の量が薬剤を嚥下するのに少な過ぎたり多過ぎたりすることなく薬剤を容易に嚥下することができる併用剤用容器、薬剤用容器及び補助剤用容器を提供することを目的とする。
【課題を解決するための手段】
【０００６】
請求項１に係る発明は、薬剤用容器（２）と補助剤用容器（３）とから構成され、
前記薬剤用容器（２）には、薬剤を収容する収容室（４）と、この収容室（４）に連通する接続部（５）と、取り出し口部（６）とが設けられ、
前記収容室（４）と前記接続部（５）との間に解除自在な連通遮断部（８ａ）が設けられ、
前記補助剤用容器（３）には、嚥下補助剤を収容する収容室（１０）と、この収容室（１０）に連通する接続部（１１）とが設けられ、
前記収容室（１０）と前記接続部（１１）との間に解除自在な連通遮断部（８ｂ）が設けられ、
前記薬剤用容器（２）の接続部（５）と前記補助剤用容器（３）の接続部（１１）とは互いに固定接続可能に構成されていることを特徴とする。
【０００７】
請求項２に係る発明は、前記薬剤用容器（２）の接続部（５）は筒状に形成され、この接続部（５）の内周に、前記薬剤用容器（２）の収容室（４）に連通する連通路（５ａ）が設けられ、
前記補助剤用容器（３）の接続部（１１）は前記薬剤用容器（２）の接続部（５）に挿入可能な筒状に形成され、この補助剤用容器（３）の接続部（１１）の内周に、前記補助剤用容器（３）の収容室（１０）に連通する連通路（１１ａ）が設けられ、
前記薬剤用容器（２）の接続部（５）に前記補助剤用容器（３）の接続部（１１）を挿入して固定接続したとき、これら薬剤用容器（２）の接続部（５）の連通路（５ａ）と補助剤用容器（３）の接続部（１１）の連通路（１１ａ）とが互いに連通可能に構成されていることを特徴とする。
【０００８】
請求項３に係る発明は、前記補助剤容器（３）には前記収容室（１０）に連通する接続部（１４）がさらに設けられ、この接続部（１４）が別の補助剤用容器の接続部と固定接続可能に構成されていることを特徴とする。
【０００９】
請求項４に係る発明は、前記薬剤用用器（２）の収容室（４）は複数の収容室から構成され、これら複数の収容室の隣り合う収容室間に連通路（１７）が設けられ、かつこの連通路（１７）に解除自在な連通遮断部（１８）が設けられていることを特徴とする。
【００１０】
請求項５に係る発明は、前記薬剤用容器（２）の取出し口部（６）は筒状に形成され、この取り出し口部（６）の先端側の外周には環状の補強部材（９）が設けられていることを特徴とする。
【００１１】
請求項６に係る発明は請求項１〜５のいずれかに記載の薬剤用容器である。
【００１２】
請求項７に係る発明は請求項１〜５のいずれかに記載の補助剤用容器である。
【００１３】
請求項８に係る発明である薬剤用容器は、薬剤を収容する収容室（４）と、この収容室（４）に連通して設けられた筒状の取出し口部（６）とが設けられ、
前記収容室（４）と前記取出し口部（６）との間に解除自在な連通遮断部（８ｂ）が設けられ、前記連通遮断部（８ｂ）が解除されることによりこの収容室（４）と前記取り出し口部（６）とが連通して前記薬剤を前記取り出し口部（６）から服用可能に構成されていることを特徴とする。
【００１４】
請求項９に係る発明である補助剤用容器は、嚥下補助剤を収容する収容室（１０）と、この収容室（１０）に連通して設けられた筒状の取出し口部（１１’）とが設けられ、
前記収容室（１０）と前記取出し口部（１１’）との間に解除自在な連通遮断部（１３）が設けられ、前記連通遮断部（１３）が解除されることによりこの収容室（１０）と前記取り出し口部（１１’）とが連通して前記嚥下補助剤を前記取り出し口部（１１’）から服用可能に構成されていることを特徴とする。
【発明の効果】
【００１５】
本発明は、嚥下補助剤の量が異なる補助剤用容器を用意しておくことで服用者側で服用すべき薬剤の粒径や味の違い、服用者自身の体調及び嗜好を考慮して嚥下補助剤が適量である補助剤用容器を選択してこの補助剤用容器を薬剤用容器に接続することができ、これにより服用者各々にとって適量の嚥下補助剤で薬剤を容易に嚥下することを可能にする。しかも嚥下補助剤の量だけではなく味や粘度も異なる補助剤用容器を用意しておくことで服用者は味や粘度を組み合わせて自分に合った嚥下補助剤を選択することができ、服用すべき薬剤をより容易に嚥下することができる。
【図面の簡単な説明】
【００１６】
【図１】図１は本発明である併用剤用容器の実施形態の一例を示す図である。
【図２】図２は本発明である併用剤用容器の実施形態の一例を示す図である。
【図３】図３は本発明である併用剤用容器の実施形態の別例を示す図である。
【図４】図４は本発明の薬剤用容器の別実施例を示す図である。
【発明を実施するための形態】
【００１７】
以下、本発明の実施形態について図面に基いて説明する。
図１及び図２は本発明である併用剤用容器の実施形態の一例を示す図である。この本実施形態の一例である併用剤用容器１は薬剤用容器２と補助剤用容器３とから構成されている。
【００１８】
薬剤用容器２には、薬剤を収容する収容室４と、この収容室４に連通する接続部５と、取り出し口部６とが設けられている。接続部５は薬剤用容器２の長手方向一端部２ａに配置され、取り出し口部６はこの長手方向の残り一端部２ｂに配置され、これら接続部５と取り出し口部６との間に収容室４が配置されている。なお薬剤の収容容積を低下させることなく収納時にこの薬剤用用器２が嵩張るのを防ぐため、この薬剤用用器２の断面を楕円状に形成するのが望ましい。また上記薬剤は粉粒状剤、錠剤、ハードカプセル、ソフトカプセルのいずれでもよく、さらにはこれら薬剤に腸用性や持続、ＰＨ応答性のいずれかの基材を混合又は被覆したものでもよい。
【００１９】
上記薬剤用容器２の収容室４は、この接続部側端部４ａが薬剤用容器２の長手方向接続部側に向かってテーパ状に縮径して形成され、この取り出し口部側端部４ｂが薬剤用容器２の長手方向取り出し口部側に向かってテーパ状に縮径して形成されている。これにより上記薬剤用容器２の収容室４はこの両端部４ａ、４ｂが薬剤用容器２の長手方向外側に向かってテーパ状に縮径して形成され、この収容室４への内容物（薬剤や嚥下補助剤）の出入りを円滑にしている。この収容室４と接続部５との間には通路７ａが設けられ、この接続部側通路７ａに解除自在な連通遮断部８ａが設けられている。同様に、収容室４と取り出し口部６との間にも通路７ｂが形成され、この取り出し口部側通路７ｂにも解除自在な連通遮断部８ｂが設けられている。なお上記連通遮断部８ａ，８ｂは収容室４から接続部５に収容室４の内容物（薬剤又は嚥下補助剤）が移動するのを防止できる位置に設ければよく、例えば収容室４の長手方向端部４ａ，４ｂに設けてもよい。
【００２０】
この収容室４は接続部側通路７ａ及び取り出し口部側通路７ｂと共に、例えば２枚のシートを対向させて互いの幅方向両外側を溶着することにより幅方向内側に形成されている。なお収容室の幅Ｗは、この収容室４を服用者が指で容易に押圧することができるように、親指サイズ（例えば１５ｍｍ〜２５ｍｍ）にすることが望ましい。
【００２１】
また上記連通遮断部８ａ（８ｂ）は収容室４と接続部５（取り出し口部６）との間を連通遮断しかつ服用者により容易に解除可能に構成されたものであればよく、例えば上記接続側通路７ａ及び取り出し口部側通路７ｂを剥離可能な弱シールで遮断して形成した弱シール部でもよいし、この接続側通路７ａ及び取り出し口部側通路７ｂを取り外し自在なクリップで挟着することにより遮断して形成したクリップ部でもよい。なお剥離可能な弱シールとは、収容室４を指で押圧してこの収容室４の内圧を高めることにより剥離させることができるものを言う。
【００２２】
上記薬剤用容器の接続部５は筒状に形成され、この内周には連通路５ａが設けられている。この接続部５の一端部は薬剤用容器２の長手方向一端２ａに挿入固定され、接続部５の連通路５ａと薬剤用容器２の接続部側通路７ａとが連通接続している。接続部５の連通路５ａを形成する内周面は接続部側通路７ａを形成する薬剤用容器２の内周面と面一に接続して流路抵抗が増大したりこれら内周面の境界部に薬剤や嚥下補助剤が滞留するのを防止している。
【００２３】
上記接続部５の一端部が挿入固定される薬剤用容器２の長手方向一端２ａには受口部２ｃが接続部側通路７ａに連続して形成されている。この受口部２ｃは、この接続部５の一端部の挿入側外周面と密着する内周面２ｄと、接続部５の一端部の挿入側先端面と対向して密着する環状の内奥面２ｅとを有する。この環状の内奥面２ｅは内周面２ｄより径方向内側に突出しかつこの径方向の長さが上記接続部５の挿入側先端面の径方向の長さと略同一になるように形成されている。
【００２４】
上記取り出し口部６は筒状でかつこの断面が楕円状に形成され、この内周には連通路６ａが設けられている。この取り出し口部６の一端部は薬剤用容器の長手方向の残り一端２ｂに挿入固定され、これにより取り出し口部６の連通路６ａと薬剤用容器２の取り出し口部側通路７ｂとが接続している。取り出し口部６の連通路６ａを形成する内周面は、取り出し口部側通路７ｂを形成する薬剤用容器２の内周面と面一に接続して流路抵抗が増大したりこれら内周面の境界部に薬剤や嚥下補助剤が滞留するのを防止している。
【００２５】
取り出し口部６の一端部が挿入固定される薬剤用容器２の長手方向残り一端２ｂには受口部２ｆが取り出し口部側通路７ｂに連続して形成されている。この受口部２ｆは、この取り出し口部６の一端部の挿入側外周面と密着する内周面２ｇと、取り出し口部６の一端部の挿入側先端面と対向して密着する環状の内奥面２ｈとを有する。この環状の内奥面２ｈは内周面より径方向内側に突出しかつこの径方向の長さが上記取り出し口部６の挿入側先端面の径方向の長さと略同一になるように形成されている。なお併用剤用容器１を動物試験用に用いる場合、この取出し口部６を補強するためこの取り出し口部の先端側の外周に環状の補強部材９が設けてこの補強部材９を動物に噛ませた状態で用いることができる（図１（Ｂ）参照）。
【００２６】
補助剤用容器３には、補助剤を収容する収容室１０と、この収容室１０に連通する接続部１１とが設けられている。接続部１１は補助剤用容器３の長手方向一端部３ａに配置され、この接続部１１より長手方向内側に収容室１０が配置されている。なお嚥下補助剤の収容容積を低下させることなく収納時にこの補助剤用容器３が嵩張るのを防ぐため、この補助剤用容器３の断面を楕円状に形成するのが望ましい。
【００２７】
上記補助剤用容器３の収容室１０はこの接続部側端部１０ａが補助剤用容器３の長手方向外側（接続部側）に向かってテーパ状に縮径して形成され、この収容室１０からの嚥下補助剤の流出を円滑にしている。収容室１０と接続部１１との間には通路１２が設けられ、この接続部側通路１２に解除自在な連通遮断部１３が設けられている。なお上記連通遮断部１３は収容室１０から接続部１１に収容室１０の内容物（嚥下補助剤）が移動するのを防止できる位置に設ければよく、例えば収容室１０の長手方向端部１０ａに設けられてもよい。
【００２８】
この収容室１０は接続部側通路１２と共に、例えば２枚のシートを対向させて互いの幅方向両外側及び長手方向一端部を溶着することにより幅方向内側に形成されている。なお収容室１０の幅Ｗは、この収容室１０を服用者が指で容易に押圧することができるように、親指サイズ（例えば１５ｍｍ〜２５ｍｍ）にすることが望ましい。
【００２９】
また上記連通遮断部１３は薬剤用容器２の連通遮断部８ａ，８ｂと同様、収容室１０と接続部１１との間を連通遮断しかつ服用者により解除可能に構成されていればよく、例えば上記接続側通路１２を剥離可能な弱シールで遮断して形成した弱シール部でもよいし、この接続側通路１２を取り外し自在なクリップで挟着することにより遮断して形成したクリップ部でもよい。なお剥離可能な弱シールとは、収容室１０を指で押圧してこの収容室１０の内圧を高めることにより剥離させることができるものを言う。
【００３０】
上記補助剤用容器３の接続部１１は筒状でかつ断面が楕円状に形成され、この内周には連通路１１ａが設けられている。この接続部１１の一端部は補助剤用容器３の長手方向一端３ａに挿入固定され、これにより接続部１１の連通路１１ａと補助剤用容器３の接続部側通路１２とが連通接続している。接続部１１の連通路１１ａを形成する内周面は、接続部側通路１２を形成する補助剤用容器３の内周面と面一に接続している。
【００３１】
上記接続部１１の一端部が挿入固定される補助剤用容器３の長手方向一端には受口部３ｂが接続部側通路１２に連続して形成されている。この受口部３ｂは、この接続部１１の一端部の挿入側外周面と密着する内周面３ｃと、接続部１１の一端部の挿入側先端面と対向して密着する環状の内奥面３ｄとを有する。この環状の内奥面３ｄは内周面３ｃより径方向内側に突出しかつこの径方向の長さが上記接続部１１の挿入側先端面の径方向の長さと略同一になるように形成されている。
【００３２】
薬剤用容器２の接続部５と補助剤用容器３の接続部１１とは互いに固定接続可能に構成され、この固定接続によりこれら接続部５，１１の連通路５ａ，１１ａが互いに連通可能となるように構成されている。具体的には、薬剤用容器２の接続部５と補助剤用容器３の接続部１１とは筒状でこの断面が同形の楕円状で、かつ薬剤用容器２の接続部５の内径が補助剤用容器３の接続部１１の外径に略同一に形成されている。これにより薬剤用容器２の筒状の接続部５に補助剤用容器３の筒状の接続部１１を互いの軸心を一致した状態で圧入したとき、薬剤用容器２の接続部５の内周面と補助剤用容器３の接続部１１の外周面とが密着して固定接続することができる。薬剤用容器２の接続部５の、補助剤用容器３の接続部１１の挿入側の端部には切り欠き５ｃが設けられ（図１（Ｃ）参照）、この切り欠き５ｃが補助剤用容器３の接続部１１の挿入により押し広げられ、この押し広げられた分だけこの補助剤用容器３の接続部１１の挿入を円滑にする。
【００３３】
上記併用剤用容器１の使用方法は次の通りである。服用者は、薬剤用容器２に収容された薬剤の量、粒径や味に合わせて所望の量、味及び粘度の嚥下補助剤を収容した補助剤用容器３を選択する。服用者は薬剤用容器２の接続部５に、自分が選択した補助剤用容器３の接続部１１を挿入して固定接続し、これら接続部５，１１の連通路５ａ，１１ａを互いに連通させる。次いで、連通遮断部１３，８ａ，８ｂを服用者が任意に解除することにより、補助剤用容器３と薬剤用容器２とを連通させ、補助剤用容器３から嚥下補助剤を薬剤用容器２に流れ込ませてこの嚥下補助剤で薬剤を包み込み（マスキングし）、このマスキングした状態で薬剤を薬剤用容器２の取り出し口部６から嚥下補助剤と共に服用する。
【００３４】
なお上記実施形態は薬剤用容器２と補助剤用容器３とを固定接続して薬剤及び嚥下補助剤を併用して服用するものとして説明しているが、本発明はこれに限定されず、薬剤用容器２と補助剤用容器３とを接続することなく薬剤用容器２（補助剤用容器３）を単独使用して薬剤（嚥下補助剤）のみを服用するようにしてもよい。例えば薬剤用容器２の場合、薬剤用容器２の接続部５の開口端にキャップ等の閉塞部５ｂを設けることによりこの開口端から薬剤漏れを防止して薬剤のみを服用可能な構成となる。一方補助剤用容器３の場合、接続部１１を取り出し口部１１’として用いればよい。
【００３５】
図３は、本発明である併用剤用容器の実施形態の別例を示す図である。図３の併用剤容器の構成は、薬剤用容器２に固定接続した補助剤用容器３が別の補助剤用容器（図示せず）と固定接続可能に構成されることを除いて、図１，２の併用剤用容器と同様の構成である。同一の構成要素は同一の参照符号により示されている。
【００３６】
図３に示されるように、薬剤用容器２に固定接続した補助剤用容器３は別の補助剤用容器と固定接続可能に構成されている。このため薬剤と併用する嚥下補助剤の量を容易に増やすことができる。この補助剤容器３は、薬剤用容器２の接続部５と固定接続する接続部１１とは別の接続部１４が、この薬剤用容器２とは反対側の長手方向端部３ｂに設けられている。この接続部１４は別の補助剤用容器の接続部と固定接続可能に構成され、これら接続部の固定接続可能な構成は図１，２の薬剤用容器の接続部と補助剤用容器の接続部との固定接続可能な構成と同様である。
【００３７】
この補助剤用容器３の収容室１０は別の補助剤用容器用の接続部１４側の長手方向端部１０ｂが薬剤用容器２の長手方向外側に向かってテーパ状に縮径して形成されている。この収容室１０と別の補助剤用容器用の接続部１４との間には通路１５が設けられ、この接続部側通路１５に解除自在な連通遮断部１６が設けられている。
【００３８】
なお図３の実施形態は複数の補助剤用容器を固定接続可能にする構成であるが、本発明は、複数の補助剤用容器を固定接続可能にする構成に限定されず、例えば図３の補助剤用容器を薬剤用容器にみなすことにより複数の薬剤用容器を固定接続可能にする構成をも含む。これにより薬剤の量を容易に増やしたり複数種の薬剤を組み合わせて服用したりすることが容易にできる。
【００３９】
図４は、本発明である併用剤用容器の薬剤用容器の別実施例を示す図である。図４の薬剤用容器３は図１，２の薬剤用容器の収容室４を複数の収容室４ａ，４ｂから構成したものである。これら収容室４ａ，４ｂは薬剤用容器２の長手方向に沿って順次配置され、隣り合う収容室間にはこれら収容室同士を連通する通路１７が設けられている。この収容室間の通路１７には解除自在な連通遮断部１８が設けられている。このため複数種の薬剤を組み合わせて服用することが容易にできる。なお図４は薬剤用容器に複数の収容室を設けたものを図示したものであるが、本発明はこれに限定されず、補強剤用容器に複数の収容室を設けてもよい。
【符号の説明】
【００４０】
１…併用剤用容器
２…薬剤用容器
３…補助剤用容器
４…収容室
５…接続部
５ａ…連通路
６…取り出し口部
８ａ…連通遮断部
９…補強部材
１０…収容室
１１…接続部
１１’…取り出し口部
１１ａ…連通路
１３…連通遮断部
１４…接続部
１７…連通路
【図１】
2011206152.tif 000003
【図２】
2011206152.tif 000004
【図３】
2011206152.tif 000005
【図４】
2011206152.tif 000006